(57)【要約】【課題】通信ケーブルを確実に且つ容易に接続することができる防水型モジュラコネクタを提供する。【解決手段】装置パネル２に固定されるコンセント筐体１は、１対のモジュラジャック１４、１５が挿入口を互いに反対にしてプリント基板１６に固定配置されたモジュラジャックユニットと、この一方の挿入口が外側へ他方の挿入口が内側へ向くようにモジュラジャックユニットをコンセント筐体内の所定位置に保持するためのホルダ１８と、を有する。コンセント筐体に着脱可能なプラグ筐体２１は、通信ケーブル２３の先端に接続されたモジュラプラグ２４と、それをプラグ筐体内の所定位置に保持するためのホルダ２５と、モジュラプラグがモジュラジャック１５の挿入口に接続されるように、防水Ｏリング３０を挟んでコンセント筐体にプラグ筐体をねじ締結するコネクタ締結ねじキャップ３１と、防水キャプコンと、を有する。【選択図】      図４
2004355987.tif 000002
【特許請求の範囲】
【請求項１】
機器に固定されるコンセント部と、前記コンセント部に着脱可能なプラグ部とを有するコネクタにおいて、
前記コンセント部は、
前記機器の外側に向いた第１開口部と内側へ向いた第２開口部とを有するコンセント筐体と、
１対のモジュラジャック挿入口が互いに反対方向に向くように固定配置され、相互に接続されたモジュラジャックユニットと、
前記モジュラジャックユニットの一方の挿入口が前記第１開口部へ、他方の挿入口が前記第２開口部へ向くように、前記モジュラジャックユニットを前記コンセント筐体内の所定位置に保持するための第１保持手段と、
を有し、
前記プラグ部は、
通信ケーブルが貫通したプラグ筐体と、
前記通信ケーブルの先端に接続されたモジュラプラグと、
前記モジュラプラグを前記プラグ筐体内の所定位置に保持するための第２保持手段と、
前記モジュラプラグが前記第１開口部のモジュラジャック挿入口に接続され、かつ、防水されるように、前記コンセント筐体の前記第１開口部側に前記プラグ筐体をねじ締結するコネクタ締結ねじキャップと、
前記プラグ筐体の前記通信ケーブル側に設けられた防水手段と、
を有する、
ことを特徴とする防水型モジュラコネクタ。
【請求項２】
前記モジュラジャックユニットは、
第１モジュラジャックと、
第２モジュラジャックと、
前記第１モジュラジャックと前記第２モジュラジャックとを挿入口が互いに反対方向に向くように固定配置し、かつ、電気的に配線接続するプリント基板と、
を有することを特徴とする請求項１記載の防水型モジュラコネクタ。
【請求項３】
前記コンセント筐体は、
前記第１開口部と前記第２開口部との間の位置に外方向の突出したフランジ部を有し、前記機器の取り付け開口部に前記第２開口部側を挿入し、前記フランジ部をねじ止めすることで前記機器に固定し、
さらに、前記第１保持手段が保持する前記モジュラジャックユニットを前記所定位置に位置決めするための位置決め手段を有する、
ことを特徴とする請求項１記載の防水型モジュラコネクタ。
【請求項４】
前記コネクタ締結ねじキャップは、前記コンセント筐体の前記第１開口部側に前記プラグ筐体を防水Ｏリングを挟んでねじ締結することを特徴とする請求項１記載の防水型モジュラコネクタ。
【請求項５】
前記コネクタ締結ねじキャップは、前記プラグ筐体の外周に回転可能に配置され、且つ、前記プラグ筐体の外周には前記コネクタ締結ねじキャップが脱落しないように止め輪が設けられていることを特徴とする請求項１記載の防水型モジュラコネクタ。
【発明の詳細な説明】
【０００１】
【発明の属する技術分野】
本発明は防水コネクタに係り、特にモジュラコネクタを使用した防水型モジュラコネクタに関する。
【０００２】
【従来の技術】
移動体通信システムの無線基地局などの屋外に設置される通信機器では、通信ケーブルを接続するコネクタに防水型のものを使用する必要がある。防水型の通信コネクタに関しては多くの提案がされている。
【０００３】
たとえば、特開２００１−２３７０２３号公報（特許文献１）には、締め付けナットにより円筒状パッキン部を受座の内周壁に押しつけることで防水性能を付与した同軸コネクタの防水構造が開示されている。また、特開２００１−６７９８号公報（特許文献２）には、フード部を有する雌コネクタハウジングとアウタピースおよびインナピースを有する雄コネクタハウジングとが防水リングアセンブリを介して密着嵌合することで端子金具収容部が個室防水状態となる防水コネクタが開示されている。
【０００４】
【特許文献１】
特開２００１−２３７０２３号公報（要約、図３）
【特許文献２】
特開２００１−６７９８号公報（段落００２７〜００３０、図１）。
【０００５】
【発明が解決しようとする課題】
しかしながら、上記従来の防水コネクタは、同軸コネクタやピンコネクタのための防水構造を有しており、モジュラコネクタのための防水構造ではない。一般に、屋外に設置される無線基地局などで使用される通信ケーブルには、非防水のモジュラコネクタが使用されている。したがって、屋外でモジュラコネクタを用いた通信ケーブルを容易に且つ確実に接続することは、接続工事の効率化および安全性の向上に必要である。さらに、屋外での使用に耐えるためにモジュラコネクタは防水型でなければならない。
【０００６】
そこで、本発明の目的は、通信ケーブルを確実に且つ容易に接続することができる防水型モジュラコネクタを提供することにある。
【０００７】
【課題を解決するための手段】
本発明によれば、機器に固定されるコンセント部は、機器の外側に向いた第１開口部と内側へ向いた第２開口部とを有するコンセント筐体と、１対のモジュラジャック挿入口が互いに反対方向に向くように固定配置され、相互に接続されたモジュラジャックユニットと、モジュラジャックユニットの一方の挿入口が機器の外側へ（第１開口部へ）、他方の挿入口が機器の内側へ（第２開口部へ）向くように、モジュラジャックユニットをコンセント筐体内の所定位置に保持するための第１保持手段と、を有する。コンセント部に着脱可能なプラグ部は、通信ケーブルが貫通したプラグ筐体と、通信ケーブルの先端に接続されたモジュラプラグと、モジュラプラグをプラグ筐体内の所定位置に保持するための第２保持手段と、モジュラプラグが第１開口部のモジュラジャック挿入口に接続され、かつ、防水されるように、コンセント筐体の第１開口部側にプラグ筐体をねじ締結するコネクタ締結ねじキャップと、プラグ筐体の通信ケーブル側に設けられた防水機構と、を有する。
【０００８】
本発明の一実施例として、モジュラジャックユニットは、第１モジュラジャックと、第２モジュラジャックと、第１モジュラジャックと第２モジュラジャックとを挿入口が互いに反対方向に向くように固定配置し、かつ、電気的に配線接続するプリント基板と、を有する。
【０００９】
【発明の実施の形態】
本発明の一実施形態による防水型モジュラコネクタは、屋外に設置される無線基地局等の通信機器へハイウエイ通信ケーブルなどを接続したりあるいは取り外したりする際に使用される。本実施形態による防水型モジュラコネクタは、基本的にコンセント部とプラグ部からなり、それらをコネクタ締結ねじキャップを用いて連結することで内部の非防水モジュラコネクタが接続されるとともに防水機能を有するコネクタとなる。
【００１０】
本実施形態による防水型モジュラコネクタにおいて、円筒型のコンセント部は内部に互いに反対方向に向いて接続された２個のモジュラジャック挿入口を有し、円筒型プラグ部は防水連結機構を有すると共に内部に通信ケーブルに接続されたモジュラプラグを有する。防水連結機構によりコンセント部とプラグ部とを連結すると、同時に、コンセント部の一方のモジュラジャック挿入口とプラグ部のモジュラプラグとが嵌合接続する。こうして接続された非防水のモジュラジャックおよびモジュラプラグは防水されたコネクタ内に安定して保持される。以下、本発明の実施例を詳細に説明する。
【００１１】
（実施例）
図１は、本発明の一実施例による防水型モジュラコネクタのコンセント部の分解斜視図である。円筒形のコンセント筐体１には、取り付けねじ４を通す孔が４角に設けられた角型フランジ５が設けられている。コンセント筐体１は、その一方の端部６がＯリングパッキン３を通して装置パネル２の孔２ａに挿入され、ねじ４により固定される。
【００１２】
円筒形のコンセント筐体１の内部には、モジュラジャックユニット１７を保持した絶縁体プラスチック製のモジュラジャックホルダ１８が組み込まれている。モジュラジャックホルダ１８の一端には抜け防止爪２０が設けられ、コンセント筐体１内に挿入されたときに、コンセント筐体１の側面に形成されたロック用抜け防止爪受け孔９と嵌合することでモジュラジャックホルダ１８の脱落を防止する。また、コンセント筐体１の外側に向いた挿入口１１にはリブ８が、挿入口１１近傍にはプラグ挿入方向の位置を規制するためのリブ１２が設けられ、モジュラジャックホルダ１８をコンセント筐体１内に挿入したときに、モジュラジャックホルダ１８に保持されたモジュラジャックユニット１７を所定の位置に正しく位置決めする。
【００１３】
モジュラジャックユニット１７は、プラグ挿入口が互いに反対方向に向いた、すなわち一方は装置パネル２の方へ他方は挿入口１１の方へ向いた、２個のモジュラジャック１４および１５を有し、これらモジュラジャック１４および１５はプリント基板１６上に固定されると共に互いに電気的に接続されている。モジュラジャック１４および１５とプリント基板１６とからなるモジュラジャックユニット１７は、モジュラジャックホルダ１８の位置決め爪１９によりモジュラジャックホルダ１８内の所定位置に保持される。
【００１４】
このようなモジュラジャックホルダ１８がコンセント筐体１内に挿入されることで、モジュラジャックユニット１７がコンセント筐体１内の所定位置に所定の向きで固定される。すなわち、モジュラジャック１５の挿入口がコンセント筐体１の挿入口１１を通して露出し、モジュラジャック１４の挿入口は装置パネル２の内部に露出するように配置される。
【００１５】
また、コンセント筐体１の外端１０の外周部には、プラグ部との締結のためのねじ溝１３が形成されている。
【００１６】
図２は、本実施例による防水型モジュラコネクタのプラグ部の分解斜視図であり、図３（Ａ）はプラグ部の斜め上方から見た斜視図、（Ｂ）は斜め下方から見た斜視図である。円筒形のプラグ筐体２１には通信ケーブル２３が貫通し、プラグ筐体２１の一端２２の側には、通信ケーブル２３の先端に接続されたモジュラプラグ２４がプラグホルダ２５に組み込まれ保持されている。
【００１７】
さらに、図３に示すように、プラグホルダ２５の下面にはモジュラプラグ２４のロックツマミ２８が設けられ、プラグホルダ２５をプラグ筐体２１内に押し込むことで固定されると共に、プラグ筐体１の内壁に設けられた突起部２９がロックツマミ２８を押さえる。
【００１８】
プラグ筐体２１の端部２２側の外周には溝３２が形成され、プラグ筐体２１に回転自在に嵌り込んだコネクタ締結ねじキャップ３１の脱落防止のために、溝３２にＣ型リテーナ３３が嵌め込まれている。また、プラグ筐体２１のケーブル２３側の内周にはねじ部３５が形成されている。
【００１９】
プラグ筐体２１のケーブル２３側には防水キャプコン部が設けられている。すなわち、プラグ筐体２１のケーブル２３側内周に形成されたねじ部３５には、ケーブル防水ケーブルクランプ３４が図示されていない防水Ｏリング３６を挟んで螺合する。さらに、防水ケーブルクランプ３７は、弾性体のブッシュ３８を挟んで防水ケーブルクランプ３４のケーブル側外周のねじ部に螺合し、ブッシュ３８で通信ケーブル２３を締め付けることで防水を確実にできる。なお、この防水キャプコン部は市販のものを使用することができる。
【００２０】
図４は、本実施例による防水型モジュラコネクタの側面断面図である。上述したように、コンセント筐体１では、モジュラジャックユニット１７がコンセント筐体１内の所定位置に所定の向きで固定され、モジュラジャック１５の挿入口がプラグ挿入口側に、モジュラジャック１４の挿入口が通信機器側にそれぞれ配置されている。プラグ筐体２１は、プラグホルダ２５がプラグ筐体２１内に押し込まれた状態で、位置決めマークを一致させてコンセント筐体１の挿入側開口２２に差し込まれる。これによって、モジュラプラグ２４はコンセント筐体１のモジュラジャック１５に差し込まれて接続される。そして、コネクタ締結ねじキャップ３１をコンセント筐体１のねじ溝１３に螺合させ、防水Ｏリングパッキン３０を挟んで締め付けることで、コンセント筐体１とプラグ筐体２１とが締結され防水を確実にすることができる。
【００２１】
装置パネル２内部の通信ケーブル１０１のモジュラプラグ１０２は、コンセント筐体１内のモジュラジャック１４に差し込まれて接続される。モジュラジャック１４および１５はプリント基板１６を通して互いに接続されているから、外部の通信ケーブル２３と装置内部のケーブル１０１とは２個のモジュラジャック１４および１５を通して電気的に接続される。
【００２２】
また、モジュラコネクタを外す場合は、防水キャプコン部を外すと共にコネクタ締結ねじキャップ３１を緩めてコンセント筐体１のねじ溝１３から外してプラグ筐体２１を引き抜いてから、モジュラプラグ２４をコンセント筐体１内のモジュラジャック１５から外せばよい。
【００２３】
なお、上記実施例では、２個のモジュラジャック１４および１５をプリント基板１６で電気的に接続したが、反対方向を向いた２つの挿入口を有する単体のジャックをホルダ１８に取り付けるようにしてもよい。
【００２４】
【発明の効果】
上述したように、本発明によれば、モジュラコネクタの着脱が通信機器の外側だけで簡単に且つ確実に行うことができ、コネクタ締結ねじキャップを締め付けることで確実な防水を行うこともできる。
【図面の簡単な説明】
【図１】本発明の一実施例による防水型モジュラコネクタのコンセント部の分解斜視図である。
【図２】本実施例による防水型モジュラコネクタのプラグ部の分解斜視図である。
【図３】（Ａ）はプラグ部の斜め上方から見た斜視図、（Ｂ）は斜め下方から見た斜視図である。
【図４】本実施例による防水型モジュラコネクタの側面断面図である。
【符号の説明】
１  コンセント筐体
２  装置パネル
３  Ｏリングパッキン
８  位置決めリブ
１１  挿入口
１２  位置決めリブ
１３  ねじ溝
１４、１５  モジュラジャック
１６  プリント基板
１７  モジュラジャックユニット
１８  モジュラジャックホルダ
２１  プラグ筐体
２４  モジュラプラグ
２５  モジュラプラグホルダ
３０  防水Ｏリング
３１  コネクタ締結ねじキャップ
【図１】
2004355987.tif 000003
【図２】
2004355987.tif 000004
【図３】
2004355987.tif 000005
【図４】
2004355987.tif 000006